(57)【特許請求の範囲】
【請求項１】
取付面が形成された器具本体と；
器具本体の取付面とは反対側に形成された中央反射面部と、前記中央反射面部よりも外側であって、外径の異なる２つの環状の凹部とを有し、前記環状の凹部は、器具本体の外周方向に向かって反射面を形成する反射手段と；
反射手段の凹部を通じて斜め外側へ臨むように前記凹部に配設されたランプソケットと；
ソケットの位置とは異なる位置の前記凹部に配設されたランプホルダと；
２つの環状の凹部のうち、内側のランプソケット及びランプホルダに装着されて内側の凹部と光学的に対向するように配設されるとともに、前記中央反射面部に直接光が照射されるように配設された管外径１５ないし１８ｍｍおよび環外径２８５ないし３１０ｍｍの第１の環形蛍光ランプと；
２つの環状の凹部のうち、外側のランプソケット及びランプホルダに装着されて外側の凹部と光学的に対向するように配設されるとともに、第１の環形蛍光ランプに対して同心円状でかつ第1の環形蛍光ランプよりも取付面側であって第１の蛍光ランプと一部が重なるように配設されるとともに、第１の環形蛍光ランプの消費電力と異なる消費電力を有する管外径１５ないし１８ｍｍおよび環外径３６０ないし３９０ｍｍの第２の環形蛍光ランプと；
器具本体に装着され、第１および第２の環形蛍光ランプ、および反射手段を包囲する透光性カバーと；を具備していることを特徴とする照明器具。
【発明の詳細な説明】
【０００１】
【発明の属する技術分野】
本発明は、環形蛍光ランプを用いる照明器具に関する。
【０００２】
【従来の技術】
従来、環形蛍光ランプを用いる照明器具の反射板は、例えば実開昭４９−５４３６１号公報（文献１）、特公昭６２−４８３２５号公報（文献２）および特公昭５９−３００２号公報（文献３）等に開示されている。
【０００３】
文献１に開示のものは、器具真下の配光分布を均一にするために、２つの大きさの異なる環状蛍光灯を同軸でかつ上下方向にずらして配設するとともに、これらの蛍光灯に対向する２つパラボラ反射面を設け、各パラボラ曲線の軸を水平面に対して傾けている。
【０００４】
また、文献２に開示のものは、１灯点灯の場合広がりのある明るさを得るとともに全点灯の場合中心感があり、しかも十分な明るさを得られるように２本の環形蛍光ランプに対向する２つの反射面のうち、外側を正反射面とし内側を乱反射面としている。
【０００５】
さらにまた、文献３に開示のものは、１つの環状蛍光灯から放射された光の一部が反射面で反射された後、再び蛍光灯に当たる光を低減し蛍光灯より下方向への光の照射効率をよくするために、環状蛍光灯の中心線のほぼ真上に曲面反射面を設けるとともに、この反射面の外側に連続して水平反射面を設けている。
【０００６】
【発明が解決しようとする課題】
しかしながら、文献１ないし３の従来の環形蛍光ランプは、一般的には２９ｍｍの比較的太い管外径を有している。このような管外径が太く発光面積の比較的大きい環形蛍光ランプから放射される光は、パラボラ等の反射面で光制御しにくいものである。
【０００７】
すなわち、反射面の設計は、一般的には面状に発光している光源でも点または線光源とみなして行うことが多い。そして、実際に設計した反射面に蛍光ランプを組み込んだ場合、その配光分布は設計値からずれる場合がある。これは、蛍光ランプは、実際には点または線光源ではなく面状に発光しているので、設計通りの配光にはならないものである。また、文献１ないし３に開示の照明器具は、蛍光ランプを覆うカバーがないために蛍光ランプから放射された光の照度分布は、均一になりにくいし、さらに広がりを持たないものである。
【０００８】
さらに、特に、文献１および２に開示の２つの環状蛍光ランプを使用する照明器具では、このランプに対向する反射面を器具の上下方向に形成されているので、この分、器具の高さが高くなり器具を薄形化することは困難である。
【０００９】
本発明は、管外径の細い光源を使用し、透光性カバー表面の輝度および均斉度を向上させるとともに薄形化を図った照明器具を提供することを目的とする。
【００１０】
【課題を達成するための手段】
請求項１の発明は、取付面が形成された器具本体と；器具本体の取付面とは反対側に形成された中央反射面部と、前記中央反射面部よりも外側であって、外径の異なる２つの環状の凹部とを有し、前記環状の凹部は、器具本体の外周方向に向かって反射面を形成する反射手段と；反射手段の凹部を通じて斜め外側へ臨むように前記凹部に配設されたランプソケットと；ソケットの位置とは異なる位置の前記凹部に配設されたランプホルダと；２つの環状の凹部のうち、内側のランプソケット及びランプホルダに装着されて内側の凹部と光学的に対向するように配設されるとともに、前記中央反射面部に直接光が照射されるように配設された管外径１５ないし１８ｍｍおよび環外径２８５ないし３１０ｍｍの第１の環形蛍光ランプと；２つの環状の凹部のうち、外側のランプソケット及びランプホルダに装着されて外側の凹部と光学的に対向するように配設されるとともに、第１の環形蛍光ランプに対して同心円状でかつ第1の環形蛍光ランプよりも取付面側であって第１の蛍光ランプと一部が重なるように配設されるとともに、第１の環形蛍光ランプの消費電力と異なる消費電力を有する管外径１５ないし１８ｍｍおよび環外径３６０ないし３９０ｍｍの第２の環形蛍光ランプと；器具本体に装着され、第１および第２の環形蛍光ランプ、および反射手段を包囲する透光性カバーと；を具備していることを特徴とする。
【００１１】
本発明および以下の発明において、照明器具はシーリングライト、ペンダント等任意の照明器具を許容する。
【００１２】
管外径が１５ｍｍよりも小さい場合には、強度が弱くなって取り扱いに必要以上の注意を払わなければならないので、実用的ではない。また、１８ｍｍより大きい場合には光制御を行う反射面を有する反射手段の設計が難しくなることがある。また、環外径２８５ないし３１０ｍｍまたは環外径３６０ないし３９０ｍｍであることは、現行の一般形蛍光ランプの環外径とほぼ同等であるので、外観上、管外径の細さによる違和感が減少するとともに、発光長が長くなるので、その分発光面積が増加し広がりを持った配光が得られやすくなる。
【００１３】
なお、本発明および以下の発明においては、環形蛍光ランプの製造誤差等を考慮して管外径１５ないし１８ｍｍ、環外径２８５ないし３７５ｍｍおよび環外径３６０ないし３９０ｍｍの上限値および下限値が、±１０％の範囲で変動することを許容する。
【００１６】
透光性カバーは、透明または拡散透過性の材料で成形されたものであれば、その形状は何でもよい。
【００１７】
本発明では、管外径が１５ないし１８ｍｍの比較的細い環形蛍光ランプを使用し、第１の環形蛍光ランプから放射される光を器具本体の中央方向に制御するとともに、２つの環状の凹部によって第１及び第２の環形蛍光ランプから放射された光を器具本体の外周方向に制御して透光性カバー表面の輝度および均斉度を向上させている。また、第１および第２の環形蛍光ランプは、反射手段７の各凹部にそれぞれ配置しているので、器具本体の薄形化を図ることができる。
【００３５】
【発明の実施の形態】
以下、本発明の第１の実施の形態を図１および５を参照して説明する。
【００３６】
図１は、本発明の第１の実施の形態を示す分解斜視図である。図２は、同じく、断面図である。図３は、同じく、背面図である。図において、中央部にアダプタを装着する開口１ａが形成された器具本体１は、引掛シーリング２ａと電気的におよび機械的に接続されたアダプタ２に取り付けられる。アダプタ２の係止手段２ｂは器具本体１の係合手段に機械的に、コネクタ２ｃは器具本体１の放電灯点灯装置９に電気的にそれぞれ接続されている。
【００３７】
器具本体１に配設されるランプソケット３には、管外径が２５．５ｍｍ以下である１５ないし１８ｍｍおよび環外径２８５ないし３１０ｍｍの第１の環形蛍光ランプ４および管外径が２５．５ｍｍ以下である１５ないし１８ｍｍおよび環外径３６０ないし３９０ｍｍの第２の環形蛍光ランプ５が装着されている。このとき、第２の環形蛍光ランプ５は、第１の環形蛍光ランプ４に対してほぼ同心円状にかつほぼ同一平面上になるように装着される。また、第２の環形蛍光ランプ５の下端部５ａは、第１の環形蛍光ランプ４の上端部４ａよりも下側に位置するように配設され、高さ方向で重なっているので、器具全体の高さをその分低くすることができる。
【００３８】
第１および第２の環状蛍光ランプ４，５は、管外径が２５．５ｍｍ以下の１５ないし１８ｍｍのガラスバルブを有し、このバルブ内には希ガスおよび水銀を有する放電媒体が封入されるとともに、ガラスバルブの内壁面には蛍光体被膜が形成され、ガラスバルブの両端には電極が配設され、さらにガラスバルブの両端間に跨がって口金４ｂ，５ｂが配設されている。そして、口金４ｂ，５ｂには、電極に電気的に接続された複数の口金ピンが、ランプ中心側に傾いて突設されている。なお、第１の環形蛍光ランプ４の消費電力は、第２の環形蛍光ランプ５のそれと異なり、本実施の形態では第２の環形蛍光ランプの方が大きい。
【００３９】
次に、第１の反射手段６は、器具本体１に配設され、第１の環形蛍光ランプ４から放射される光を主として器具本体１の中央方向に制御する。すなわち、第１の反射手段６は、器具本体２の中央方向が凸になるように第１および第２の環形蛍光ランプ４，５の中間部４ｃから中央方向に向かって滑らかにカーブする反射面を有する。この反射面は、器具本体１の中央部に配設される白色部材６ａおよび白色部材６ａを装着する反射部材６ｂで構成されている。また、第１の反射手段６には、反射面に連接する側反射面６ｃが形成されている。
【００４０】
第２の反射手段７は、第１の反射手段６の側反射面６ｃおよび器具本体１の下面１ｂでなり、第１の反射手段に近接して器具本体１の外周方向に凹になる反射面を構成している。そして、第２の環形蛍光ランプ５から放射された光は、主として器具本体１の外周方向に制御する。そして、透光性カバー８は器具本体１に装着され、第１および第２の環形蛍光ランプ４，５、第１および第２の反射手段６，７を包囲している。
【００４１】
また、第１および第２の反射手段６，７を次のような反射手段に形成してもよい。第１および第２の環形蛍光ランプ４，５から放射された光が透光性カバー８を透過し、透光性カバー８（セード）の表面輝度の最大値ａに対する透光性カバー８の中央部の表面輝度ｂの輝度比ｂ／ａが０．５５以上となる。
【００４２】
図４は、同じく、透光性カバー表面の輝度分布を示すグラフである。図５は、同じく、透光性カバー表面の輝度均斉度を示すグラフである。
【００４３】
図によると、管外径が１５ないし１８ｍｍの比較的細く輝度の高い第１および第２の環形蛍光ランプ４，５を使用しても、透光性カバー８の表面輝度の最大値ａに対する透光性カバー８の中央部の表面輝度ｂの輝度比ｂ／ａが０．５５以上となるように反射手段を設計することができる。したがって、透光性カバー８表面の輝度および均斉度を向上させることができる。
【００４４】
点灯回路装置９は、器具本体１内に配設され、第１および第２の環形蛍光ランプ４，５に電力を供給する。
【００４５】
本実施の形態では、管外径が１５ないし１８ｍｍの比較的細い環形蛍光ランプ４，５を使用し、第１および第２の反射手段６，７を設計し、第１の環形蛍光ランプ４から放射される光を主として器具本体１の中央方向に制御するとともに、第２の環形蛍光ランプ５から放射された光を主として器具本体１の外周方向に制御して透光性カバー８表面の輝度および均斉度を向上させるとともに器具の薄形化を図っている。
【００４６】
さらに、アダプタ２により簡単に器具本体１を取り外して第１および第２の環形蛍光ランプ４，５の交換や照明器具の清掃を行える。したがって、器具本体１が取り付けられているまま無理な状態で第１および第２の環形蛍光ランプ４，５の交換等を行う必要がないので、第１および第２の環形蛍光ランプ４，５に不用意な外力が加わることがない。
【００４７】
以下、本発明の第２の実施の形態を図６および７を参照して説明する。
【００４８】
図６は、本発明の第２の実施の形態を示す断面図である。図７は、同じく分解斜視図である。なお、第１の実施の形態と同様の構成は同一符号を用いてその説明を省略する。
【００４９】
器具本体１の上面の取付面１ｃが形成され、下面には第１および第２の環形蛍光ランプ４，５が配設されている。
【００５０】
第１の反射手段６は、第１の環形蛍光ランプ４から放射される光を主として器具本体１の中央方向に制御する。すなわち、第１の反射手段６の反射面は、器具本体１の中央部に配設される白色部材６ａおよび白色部材６ａの近傍の凹部６ｂで構成されている。
【００５１】
器具本体１の中央部には、開口部１ａ、ベビー球１０、アダプタ２などを覆って白色部材６ａが着脱可能に取り付けられている。
【００５２】
この白色部材６ａは、器具本体１の傾斜面７ａと連続するように、下方へ大きな円弧面でもってなだらかに突出する形状とされている。なお、天井面から白色部材６ａの最大突出部までの距離は５０ｍｍ以下に設定される。
【００５３】
第２の反射手段７は、第２の環形蛍光ランプ５が配設される凹部７ｂおよび取付面１ｂ側へ上昇傾斜する傾斜面７ａで形成されている。
【００５４】
器具本体１の各反射手段６ｂ，７ｂには内部に臨んでソケット３，３がそれぞれ配設されている。このソケット３，３は、反射手段６ｂ，７ｂを通じて斜め外側へ臨みその斜め方向から第１および第２の環形蛍光ランプ４，５の口金ピン４ｃが挿入されて電気的に接続されるとともに、第１および第２の環形蛍光ランプ４，５の口金４ｂ，５ｂの外周に嵌合して保持するほぼＣ字状のホルダ部が形成されている。
【００５５】
また、ソケット３，３の位置とは対称位置に第１および第２の環形蛍光ランプ４，５をガラスバルブの外周に嵌合して保持する断面ほぼＣ字状のランプホルダ４ｃ，５ｃがそれぞれ配設されている。
【００５６】
器具本体１の収納部には、ソケット３，３の近傍位置において、開口１ａに臨むとともに斜め下方へ向けてソケットが配設され、ベビー球１０が斜めに嵌合接続されている。
【００５７】
器具本体１の収納部内には、インバータ回路を有する放電灯点灯灯装置９が配設されている。この放電灯点灯装置９の電源入力側にはアダプタ２がコネクタ等で電気的に接続され、出力側には電線などで電気的に接続されている。
【００５８】
本実施の形態によると、第１および第２の環形蛍光ランプ４，５は、第１の反射手段６および第２の反射手段７の凹部６ｂおよび凹部７ｂ内にそれぞれ配置しているので、器具の薄形化をさらに図ることができる。
【００５９】
次に、本発明の第３の実施の形態を図８および９を参照して説明する。
【００６０】
図８は、本発明の第３の実施の形態を示す断面図である。図９は、同じく分解斜視図である。第２の実施の形態と同様の構成は同一符号を用いてその説明を省略する。
【００６１】
器具本体２の第１の反射手段６ｂおよび第２の反射手段７ｂの断面形状は、第１および第２の環形蛍光ランプ４，５の管表面の円弧に比べて大きい円弧にて形成されている。そして、各反射手段６ｂ，７ｂに各環形蛍光ランプ４，５を配設した状態では、各反射手段６ｂ，７ｂの面と各環形蛍光ランプ４，５との間隙が広く開けられる。そのため、ガラスバルブから各反射手段６ｂ，７ｂの方向に出る光を反射手段６ｂ，７ｂの内面で有効に反射させることができる。なお、白色部材６ａの縁部が各反射手段６ｂ，７ｂの一部を構成する。
【００６２】
【発明の効果】
請求項１記載の発明では、管外径が１５ないし１８ｍｍの比較的細い環形蛍光ランプを使用し、第１の環形蛍光ランプから放射される光を器具本体の中央方向に制御するとともに、２つの環状の凹部によって第１及び第２の環形蛍光ランプから放射された光を器具本体の外周方向に制御して透光性カバー表面の輝度および均斉度を向上させている。また、第１および第２の環形蛍光ランプは、反射手段７の各凹部にそれぞれ配置しているので、器具本体の薄形化を図ることができる。
【図面の簡単な説明】
【図１】図１は、本発明の第１の実施の形態を示す分解斜視図である。
【図２】図２は、同じく、断面図である。
【図３】図３は、同じく、背面図である。
【図４】図４は、同じく、透光性カバー表面の輝度分布を示すグラフである。
【図５】図５は、同じく、透光性カバー表面の輝度均斉度を示すグラフである。
【図６】図６は、本発明の第２の実施の形態を示す断面図である。
【図７】図７は、同じく分解斜視図である。
【図８】図８は、本発明の第３の実施の形態を示す断面図である。
【図９】図９は、同じく分解斜視図である。
【符号の説明】
１…器具本体
３…ランプソケット
４…第１の環形蛍光ランプ
５…第２の環形蛍光ランプ
６…第１の反射手段
７…第２の反射手段
８…透光性カバー
【図１】
0003903224.tif 000002
【図２】
0003903224.tif 000003
【図３】
0003903224.tif 000004
【図４】
0003903224.tif 000005
【図５】
0003903224.tif 000006
【図６】
0003903224.tif 000007
【図７】
0003903224.tif 000008
【図８】
0003903224.tif 000009
【図９】
0003903224.tif 000010